(57)【要約】【課題】デジタルテレビ放送における特定チャンネルの視聴制限を、簡易かつ低コストで行うことができる、視聴制限装置を提供する。【解決手段】デジタルテレビ放送の視聴制限を行うための視聴制限装置１０であって、入力端子１１と、出力端子と、入力端子１１により入力を受けた放送信号うち、視聴制限の対象となる特定チャンネル以外のチャンネルの放送信号のみを通過させるハイパスフィルタ１４と、入力端子１１により入力を受けた放送信号うち、視聴制限の対象となる特定チャンネルの放送信号の視聴制御を行う視聴制御部１７を備える。視聴制御部１７は、特定チャンネルの放送を視聴不可とする場合には、当該特定チャンネルの放送信号に対する振幅を変動させることにより、当該放送信号にビットエラーを生じさせる。【選択図】図２
2011171970.tif 000002
【特許請求の範囲】
【請求項１】
デジタルテレビ放送における特定チャンネルの視聴制限を行うための視聴制限装置であって、
デジタルテレビ放送用の放送信号の入力を受ける入力端子と、
前記入力端子により入力を受けた前記放送信号の少なくとも一部を出力する出力端子と、
前記入力端子から前記出力端子に至る線路であって、視聴制限の対象となる前記特定チャンネル以外のチャンネルの放送信号を伝送するための第１線路、及び、視聴制限の対象となる前記特定チャンネルの放送信号を伝送するための第２線路と、
前記入力端子に入力された放送信号を前記第１線路と前記第２線路に分配させる分配器と、
前記第１線路に配置され、前記入力端子により入力を受けた前記放送信号うち、視聴制限の対象となる前記特定チャンネル以外のチャンネルの放送信号のみを通過させる帯域制限手段と、
前記第２線路に配置され、前記入力端子により入力を受けた前記放送信号うち、視聴制限の対象となる前記特定チャンネルの放送信号の視聴制御を行う視聴制御手段と、
前記帯域制限手段を通過した放送信号と前記視聴制御手段を通過した放送信号を合成して前記出力端子に出力する合成器とを備え、
前記視聴制御手段は、前記特定チャンネルの放送を視聴不可とする場合には、当該特定チャンネルの放送信号に対する振幅を変動させることにより、当該放送信号にビットエラーを生じさせる、
視聴制限装置。
【請求項２】
前記視聴制御手段は、前記特定チャンネルの放送を視聴不可とする場合には、当該特定チャンネルの放送信号を減衰させる、
請求項１に記載の視聴制限装置。
【請求項３】
前記第２線路を複数設け、
前記複数の第２線路の各々に、
視聴制限の対象となる複数の前記特定チャンネルのうち、前記第２線路毎に異なる前記特定チャンネルのみを通過させる第２帯域制限手段と、
前記視聴制御手段とを設けた、
請求項１又は２に記載の視聴制限装置。
【発明の詳細な説明】
【技術分野】
【０００１】
本発明は、デジタルテレビ放送における特定チャンネルの視聴制限を行うための視聴制限装置に関する。
【背景技術】
【０００２】
従来、ホテルの有料テレビサービス等において視聴制限を行うための視聴制限装置が提案されている。例えば、特許文献１には、個別情報およびスクランブルされたデータを受信し、このスクランブルされたデータを、個別情報から取り出された鍵によってデスクランブルすることにより、視聴の可否を制御する受信装置が開示されている。
【先行技術文献】
【特許文献】
【０００３】
【特許文献１】特開２００７−２１５２１９号公報
【発明の概要】
【発明が解決しようとする課題】
【０００４】
しかしながら、このようなスクランブル方式による視聴制限を行うためには、送信側において復号鍵を多重化したり、受信側において復号鍵を用いてデスクランブルを行うための復号手段を設ける必要がある等、システム構成が複雑になり、システムコストが増大するという問題があった。
【０００５】
特に、ホテルにはアナログテレビ放送の視聴制限を行うための視聴制限装置が設けられていることが多く、スクランブル方式によるデジタルテレビ放送の視聴制限を行うためには、これら既存の視聴制限装置を完全に新規なものと交換等する必要があったので、デジタルテレビ放送の視聴制限システムの導入コストが増大していた。
【０００６】
本発明は、上記に鑑みてなされたものであって、デジタルテレビ放送における特定チャンネルの視聴制限を、簡易かつ低コストで行うことができる、視聴制限装置を提供することを目的とする。
【課題を解決するための手段】
【０００７】
上述した課題を解決し、目的を達成するために、請求項１に係る視聴制限装置は、デジタルテレビ放送における特定チャンネルの視聴制限を行うための視聴制限装置であって、デジタルテレビ放送用の放送信号の入力を受ける入力端子と、前記入力端子により入力を受けた前記放送信号の少なくとも一部を出力する出力端子と、前記入力端子から前記出力端子に至る線路であって、視聴制限の対象となる前記特定チャンネル以外のチャンネルの放送信号を伝送するための第１線路、及び、視聴制限の対象となる前記特定チャンネルの放送信号を伝送するための第２線路と、前記入力端子に入力された放送信号を前記第１線路と前記第２線路に分配させる分配器と、前記第１線路に配置され、前記入力端子により入力を受けた前記放送信号うち、視聴制限の対象となる前記特定チャンネル以外のチャンネルの放送信号のみを通過させる帯域制限手段と、前記第２線路に配置され、前記入力端子により入力を受けた前記放送信号うち、視聴制限の対象となる前記特定チャンネルの放送信号の視聴制御を行う視聴制御手段と、前記帯域制限手段を通過した放送信号と前記視聴制御手段を通過した放送信号を合成して前記出力端子に出力する合成器とを備え、前記視聴制御手段は、前記特定チャンネルの放送を視聴不可とする場合には、当該特定チャンネルの放送信号に対する振幅を変動させることにより、当該放送信号にビットエラーを生じさせる視聴制限装置である。
【０００８】
また、請求項２に係る視聴制限装置は、請求項１に係る視聴制限装置において、前記視聴制御手段は、前記特定チャンネルの放送を視聴不可とする場合には、当該特定チャンネルの放送信号を減衰させるものである。
【０００９】
また、請求項３に係る視聴制限装置は、請求項１又は２に係る視聴制限装置において、前記第２線路を複数設け、前記複数の第２線路の各々に、視聴制限の対象となる複数の前記特定チャンネルのうち、前記第２線路毎に異なる前記特定チャンネルのみを通過させる第２帯域制限手段と、前記視聴制御手段とを設けたものである。
【発明の効果】
【００１０】
請求項１に係る視聴制限装置によれば、特定チャンネルの放送を視聴不可とする場合には、当該特定チャンネルの放送信号に対する振幅を変動させることにより、当該放送信号にビットエラーを生じさせるので、振幅変動という比較的簡易な方法で視聴制限を行うことができるので、そのための電気的な構成も簡素化でき、スクランブル方式による視聴制限を行う場合に比べて、デジタルテレビ放送における特定チャンネルの視聴制限を、簡易かつ低コストで行うことができる。
特に、既存のアナログテレビ放送用の視聴制限装置の一部のみを振幅変動用の回路等に交換することで、デジタルテレビ放送の視聴制限を行うことができるので、デジタルテレビ放送用の視聴制限装置を新規に導入する場合に比べて、大幅なコストダウンを図ることが可能となる。
【００１１】
請求項２に係る視聴制限装置によれば、特定チャンネルの放送を視聴不可とする場合には、当該特定チャンネルの放送信号を減衰させるので、振幅変動に加えて減衰を行うことで、視聴制限を一層確実に行うことができる。
【００１２】
請求項３に係る視聴制限装置によれば、視聴制限の対象となる複数の特定チャンネルのうち、第２線路毎に異なる特定チャンネルを、相互に別々の視聴制御手段にて視聴制御することができ、視聴制限の対象となる複数の特定チャンネルの個別的な視聴制御を行うことが可能となる。
【図面の簡単な説明】
【００１３】
【図１】本発明の実施の形態１に係る視聴システムの全体構成を概念的に示すブロック図ある。
【図２】実施の形態１に係る視聴制限装置の構成を概念的に示すブロック図ある。
【図３】周波数帯域を例示する図である。
【図４】実施の形態２に係る視聴制限装置の構成を概念的に示すブロック図ある。
【発明を実施するための形態】
【００１４】
以下に添付図面を参照して、この発明に係る視聴制限装置の各実施の形態について詳細に説明する。ただし、これらの実施の形態によって本発明が限定されるものではない。
【００１５】
〔実施の形態１〕
まず、実施の形態１について説明する。この実施の形態１は、視聴制限帯域の全ての放送信号を一つの視聴制御部にて視聴制限する形態である。最初に、本実施の形態に係る視聴システムと視聴制限装置の構成について説明し、次に、この視聴システムを用いて行われる視聴制限処理について説明する。
【００１６】
（視聴システムの構成）
まず、本実施の形態に係る視聴システムの構成について説明する。図１は、視聴システムの全体構成を概念的に示すブロック図ある。この視聴システム１は、例えば、ホテルに設けられるもので、アンテナ２、ビデオ装置３、混合器４、増幅器５、分岐器６、視聴制限装置１０、テレビ受像機２０を、図示のように接続して構成されている。
【００１７】
アンテナ２は、デジタルテレビ放送用のデジタル放送信号（以下、単に放送信号）を受信する受信手段であり、例えば、屋外に配置される。ビデオ装置３は、有料放送を含む任意の放送の放送信号をビデオ再生等により放送する放送装置である。混合器４は、アンテナ２にて受信された放送信号とビデオ装置３から出力されたデジタル信号（以下、ビデオ装置３から出力された信号、放送信号と称して説明する）を混合して後段に出力する。増幅器５は、混合器４にて混合された放送信号を増幅する増幅手段である。分岐器６は、増幅器５にて増幅された放送信号を分岐してテレビ受像機２０に向けて出力する分岐手段である。
【００１８】
視聴制限装置１０は、例えばホテルの居室に配置され、分岐器６にて分岐された放送信号の視聴制限を行い、無料チャンネルの放送信号を常に通過させ、有料チャンネル（特定チャンネル）の放送信号についてはユーザの料金支払い状態等に応じた所定基準に基づいて視聴可能又は視聴不可能となるように視聴制限を行う。
【００１９】
テレビ受像機２０は、例えば視聴制限装置１０と共にホテルの居室に配置され、視聴制限装置１０から出力された放送信号を出力する。
【００２０】
この視聴システム１の構成としては、図１に示した構成以外の構成を採用することもでき、例えば、増幅器５を必要に応じて視聴システム１の各部に複数配置したり、分岐器６、視聴制限装置１０、及びテレビ受像機２０の組合せの数は任意に増減することができる。
【００２１】
（視聴制限装置の構成）
次に、図１の視聴制限装置１０の構成について説明する。図２は、視聴制限装置１０の構成を概念的に示すブロック図ある。この視聴制限装置１０は、入力端子１１、出力端子１２、分配器１３、ハイパスフィルタ１４、複数のローパスフィルタ１５、１６、視聴制御部１７、制御部１８、及び合成器１９を、第１線路Ｌ１及び第２線路Ｌ２を介して図示のように接続して構成されている。
【００２２】
入力端子１１は、放送信号の入力を受ける入力手段である。出力端子１２は、入力端子１１により入力を受けた放送信号の少なくとも一部を出力する出力手段である。分配器１３は、入力端子１１により入力を受けた放送信号を分配して後段側に出力する分配手段であり、例えば、コイルとコンデンサにて構成される。
【００２３】
ハイパスフィルタ１４は、入力端子１１により入力を受けた放送信号うち、視聴制限の対象となる有料チャンネル以外の無料チャンネルの放送信号のみを通過させる帯域制限手段である。ここでは、図３に示すように、本実施の形態では、約３０〜３００ＭＨｚの周波数帯域を視聴制限帯域（有料放送帯域）、約４７０〜１３５０ＭＨｚの周波数帯域を無料放送帯域とすることを前提としており、ハイパスフィルタ１４は、約４７０ＭＨｚ以上の周波数帯域のチャンネルの放送信号のみを通過させる。このハイパスフィルタ１４の具体的な構成は任意であり、例えば、図示しないコイルとコンデンサを組み合わせて構成される。
【００２４】
ローパスフィルタ１５、１６は、入力端子１１により入力を受けた放送信号うち、視聴制限の対象となる周波数帯域（すなわち、視聴制限帯域）の放送信号のみを通過させる帯域制限手段である。ここでは、ローパスフィルタ１５、１６は、約３０〜３００ＭＨｚの周波数帯域のチャンネルの放送信号のみを通過させる。このローパスフィルタ１５、１６の具体的な構成は任意であり、例えば、図示しないコイルとコンデンサを組み合わせて構成される。
【００２５】
視聴制御部１７は、ローパスフィルタ１５、１６の相互間に配置される視聴制限手段であり、例えば、線路Ｌ２を流れる放送信号の信号レベルを所定レベルだけ減衰させると共に、この放送信号の振幅を変動させビットエラーを生じさせることで、視聴制限帯域における視聴制限を行うものである。この視聴制御部１７の具体的な構成は任意であるが、例えば、図示しない公知の矩形波発振回路（非安定マルチバイブレータ）やインバータを用いて構成することができる。
【００２６】
制御部１８は、視聴制御部１７を制御するものであり、ユーザからの有料放送の料金の支払い状態に応じて、視聴制御部１７に対する制御信号を出力する。例えば、制御部１８は、従来の視聴制限システムが備えているものと同様の図示しないカードリーダーに接続されており、カードリーダーによって読み取られたプリペイドカードのカード情報の入力を受け、このカード情報と所定の判断基準に基づいて、有料放送の視聴の制限の要否を判断する。この制御部１８の具体的な構成は任意であるが、例えば、図示しないＣＰＵと不揮発性メモリを備えて構成され、不揮発性メモリに記憶された制御プログラムをＣＰＵで解釈及び実行することで、後述する視聴制限処理における所定の制御を行う。
【００２７】
合成器１９は、ハイパスフィルタ１４を通過した放送信号と、ローパスフィルタ１５、１６及び視聴制御部１７を通過した放送信号とを合成して出力端子１２に出力する合成手段であり、例えば、コイルとコンデンサにて構成される。
【００２８】
（視聴制限処理）
次に、このように構成された視聴システム１を用いて行われる視聴制限処理について説明する。
【００２９】
まず、入力端子１１に入力された放送信号のうち、無料放送帯域の放送信号は、ハイパスフィルタ１４を通過して合成器１９に出力される。
【００３０】
一方、入力端子１１に入力された放送信号のうち、視聴制限帯域（有料放送帯域）の放送信号は、ハイパスフィルタ１４は通過できず、ローパスフィルタ１５のみを通過して視聴制御部１７に入力される。
【００３１】
ここで、制御部１８は、カードリーダーからカード情報の入力を受けた場合には、このカード情報に含まれる支払済み料金に応じた視聴時間を所定基準で算定し、この視聴時間の経過を内部タイマが監視する。そして、制御部１８は、視聴時間が残っている場合には有料放送の視聴を許可するものと判断して、視聴制御部１７の制御入力端子に対して駆動停止信号を出力し、視聴時間が残っていない場合には有料放送の視聴を制限するものと判断して、視聴制御部１７の制御入力端子に対して駆動信号を出力する。なお、制御部１８は、カードリーダーからカード情報の入力がない場合にも、視聴制御部１７の制御入力端子に対して駆動信号を出力する。
【００３２】
この駆動信号が出力されている場合、視聴制御部１７は、線路Ｌ２を流れる放送信号を減衰させる。この減衰の具体的な減衰量は任意に調整可能であるが、少なくとも放送信号の視聴が不可能となる程度の減衰量とし、例えば、１０ｄＢ以上の減衰を生じさせる。
【００３３】
また、駆動信号が出力されている場合、視聴制御部１７は、高周波パルスを発生させ、この高周波パルスを線路Ｌ２を流れる放送信号に重畳することで、この放送信号の信号電圧を変化させ、放送信号の振幅を変動させる。この振幅の具体的な変動幅は任意に調整可能であるが、少なくとも放送信号の再生時にビットエラーを生じさせることでビットエラー比（ＢＥＲ)を増大させて再生不能となる程度の変動幅とし、例えば、少なくとも１０回／秒以上の振幅変動を生じさせ、より好ましくは５００回／秒程度の幅変動を生じさせる。
【００３４】
なお、これら減衰と振幅変動のうち、いずれか一方のみを行うことで視聴制限を行うことができる場合には、他方を省略してもよいが、デジタル放送信号を対象に視聴制限を行う場合には、減衰のみでは確実に視聴制限を行うことが困難であるため、減衰に加えて振幅変動を行うことが好ましい。
【００３５】
このように減衰及び振幅変動が行われた放送信号は、さらにローパスフィルタ１６を通過して合成器１９に入力され、ハイパスフィルタ１４を通過した無料放送帯域の放送信号と合成されて出力端子１２に出力される。テレビ受像機２０は、出力端子１２から出力された放送信号のうち、無料放送帯域の放送信号については、減衰や振幅変動を受けていないことから、視聴可能な程度に再生を行う。一方、テレビ受像機２０は、出力端子１２から出力された放送信号のうち、視聴制限帯域（有料放送帯域）の放送信号は、減衰されて低レベルとなっていること、及び振幅変動によりビットエラーを生じさせることから、これを視聴可能な程度に再生することができないため、このことによって視聴制限が行われることになる。
【００３６】
また、制御部１８から視聴制御部１７の制御入力端子に対して駆動停止信号が出力された場合には、視聴制御部１７は、線路Ｌ２を流れる放送信号に対する減衰と振幅変動を停止し、この結果、視聴制限帯域（有料放送帯域）の放送信号は、減衰や振幅変動を受けることなく合成器１９に出力され、無料放送帯域の放送信号と合成されて出力端子１２に出力される。従って、テレビ受像機２０は、出力端子１２から出力された放送信号のうち、無料放送帯域の放送信号と視聴制限帯域（有料放送帯域）の放送信号の両方を、視聴可能な程度に再生を行うことが可能となり、このことによって視聴制限が解除されることになる。
【００３７】
（実施の形態１の効果）
このように実施の形態１によれば、特定チャンネルの放送を視聴不可とする場合には、当該特定チャンネルの放送信号に対する振幅を変動させることにより、当該放送信号にビットエラーを生じさせるので、振幅変動という比較的簡易な方法で視聴制限を行うことができるので、そのための電気的な構成も簡素化でき、スクランブル方式による視聴制限を行う場合に比べて、デジタルテレビ放送における特定チャンネルの視聴制限を、簡易かつ低コストで行うことができる。
特に、既存のアナログテレビ放送用の視聴制限装置１０の一部のみを振幅変動用の回路等に交換することで、デジタルテレビ放送の視聴制限を行うことができるので、デジタルテレビ放送用の視聴制限装置１０を新規に導入する場合に比べて、大幅なコストダウンを図ることが可能となる。
【００３８】
また、特定チャンネルの放送を視聴不可とする場合には、当該特定チャンネルの放送信号を減衰させるので、振幅変動に加えて減衰を行うことで、視聴制限を一層確実に行うことができる。
【００３９】
〔実施の形態２〕
次に、実施の形態２について説明する。この実施の形態２は、視聴制限帯域の放送信号をチャンネル毎に個別の視聴制御部にて視聴制限する形態である。ただし、実施の形態２における構成及び処理の中で、実施の形態１における構成及び処理と共通のものについては、実施の形態１で使用したものと同じ符号を付することで、その説明を省略する。
【００４０】
（視聴制限装置の構成）
まず、実施の形態２に係る視聴制限装置３０の構成について説明する。図４は、視聴制限装置３０の構成を概念的に示すブロック図である。この視聴制限装置３０は、入力端子１１、出力端子１２、分配器１３、ハイパスフィルタ１４、複数のバンドパスフィルタ１５ａ、１５ｂ、１６ａ、１６ｂ、複数の視聴制御部１７、制御部３１、及び合成器１９を、第１線路Ｌ１及び複数の第２線路Ｌ２ａ、Ｌ２ｂを介して図示のように接続して構成されている。
【００４１】
第２線路Ｌ２ａ、Ｌ２ｂに設けられるバンドパスフィルタ１５ａ、１５ｂ、１６ａ、１６ｂは、相互に異なる周波数帯域の放送信号のみを通過させる第２帯域制限手段である。例えば、本実施の形態では、約３０〜３００ＭＨｚの視聴制限帯域（有料放送帯域）の中に複数の有料チャンネル（特定チャンネル）が含まれており、第２線路Ｌ２ａに設けられるバンドパスフィルタ１５ａ、１６ａは、この中の一部の有料チャンネル（特定チャンネル）の放送帯域の放送信号のみを通過させ、第２線路Ｌ２ｂに設けられるバンドパスフィルタ１５ｂ、１６ｂは、この中の一部の有料チャンネル（特定チャンネル）の放送帯域であってバンドパスフィルタ１５ａ、１６ａとは異なる放送帯域の放送信号のみを通過させる。
【００４２】
各第２線路Ｌ２ａ、Ｌ２ｂに設けられる視聴制御部１７は、相互に異なる周波数帯域の放送信号の視聴制御を行う。ただし、この視聴制御部１７自体は、実施の形態１と同じく、減衰及び振幅変動によるものとし、具体的な構成についても実施の形態１と同様である。
【００４３】
制御部３１は、基本的には実施の形態１の制御部１８と同様に構成されるが、複数の視聴制御部１７に対して個別的に駆動信号又は駆動停止信号を出力する。例えば、制御部３１は、カードリーダーから入力されたカード情報に含まれる支払済み料金に応じた視聴時間を所定基準で算定すると共に、支払済み料金に応じて視聴が可能となる有料チャンネルを特定し、視聴時間が残っている場合には、当該特定した有料チャンネルに対応する視聴制御部１７に対して駆動停止信号を出力し、それ以外の視聴制御部１７に対して駆動信号を出力する。ただし、この他にも、有料チャンネル毎の視聴可否の判断基準は任意に定めることができる。
【００４４】
（実施の形態２の効果）
このように実施の形態２によれば、視聴制限の対象となる複数の特定チャンネルのうち、第２線路毎に異なる特定チャンネルを、相互に別々の視聴制御手段にて視聴制御することができ、視聴制限の対象となる複数の特定チャンネルの個別的な視聴制御を行うことが可能となる。
【００４５】
〔実施の形態に対する変形例〕
以上、本実施の形態について説明したが、本発明の具体的な構成及び手段は、特許請求の範囲に記載した各発明の技術的思想の範囲内において、任意に改変及び改良できる。以下、このような変形例について説明する。
【００４６】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００４７】
（構成及び制御について）
また、上記実施の形態で自動的に行われるものとして説明した制御の全部または任意の一部を手動で行っても良く、逆に、手動で行われるものとして説明した制御の全部または任意の一部を公知技術または上述した思想に基づいて自動化しても良い。また、上記実施の形態において示した各構成要素の各機能ブロックの一部又は全部は、ハードワイヤーとソフトウェアのいずれによって構成しても良い。
【００４８】
（分散や統合について）
また、上述した各電気的構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散・統合して構成できる。例えば、視聴制御部１７と制御部１８を相互に統合してもよい。
【００４９】
（帯域制限手段について）
帯域制限手段の具体的な構成や配置は、目的とする帯域制限に応じて変更することができ、例えば、ハイパスフィルタ１４とローパスフィルタ１５、１６を相互に入れ替えたり、中間帯域通過フィルタを使用することもできる。
【００５０】
（複数の特定チャンネルの個別的な視聴制御について）
実施の形態１では、複数の特定チャンネルの個別的な視聴制御を行うために、２系統の第２線路Ｌ２ａ、Ｌ２ｂを設けているが、３つ以上の系統としてもよく、この場合には、各系統の線路毎に、目的とする帯域制限に応じたバンドパスフィルタと、視聴制御部を設け、制御部で視聴制御部を個別制御するようにすればよい。また、制御部を、各系統毎に個別的に設けてもよい。
【符号の説明】
【００５１】
１  視聴システム
２  アンテナ
３  ビデオ装置
４  混合器
５  増幅器
６  分岐器
１０、３０  視聴制限装置
１１  入力端子
１２  出力端子
１３  分配器
１４  ハイパスフィルタ
１５、１６  ローパスフィルタ
１５ａ、１５ｂ、１６ａ、１６ｂ  バンドパスフィルタ
１７  視聴制御部
１８、３１  制御部
１９  合成器
Ｌ１  第１線路
Ｌ２、Ｌ２ａ、Ｌ２ｂ  第２線路
２０  テレビ受像機
【図１】
2011171970.tif 000003
【図２】
2011171970.tif 000004
【図３】
2011171970.tif 000005
【図４】
2011171970.tif 000006